(57)【要約】【課題】  電池パックを確実に且つ良好に収納できると共に、電池パックの電池電極と電池収納部の接続電極とを確実に且つ良好に接続できる電池収納構造および電子機器を提供する。【解決手段】  電池収納部１０内に挿入された電池パック１１の電池電極１２を電池収納部１０内の接続電極１４に向けて電池パック１１をスライドさせることにより、電池パック１１を電池収納部１０内に係脱可能に係止する係止部材１７と、電池収納部１０を電池蓋１５が塞ぐ際に、電池収納部１０の内面とこれに対向する電池パック１１の側面との間に挿入して電池パック１１を接続電極１４に向けて押し付けるガイド押え部１８とを備えている。従って、係止部材１７によって電池パック１１を電池収納部１０内に係止させて確実に且つ良好に収納できる。また、ガイド押え部１８によって電池パック１１の電池電極１２を電池収納部１０の接続電極１４に押し付けて確実に接続できる。【選択図】        図６
2014220258.tif 000002
【特許請求の範囲】
【請求項１】
機器ケースに設けられた電池収納部内に電池パックを挿入し、この電池パックの一側面に設けられた電池電極を前記電池収納部内に設けられた接続電極に接触させ、この状態で前記電池収納部を電池蓋によって開閉可能に塞ぐ電池収納構造を有する電子機器において、
前記電池蓋は、前記電池パックのスライド方向に沿う前記電池収納部の縁部に対応する前記機器ケースの箇所に設けられた支持軸に回転可能に取り付けられ、
前記電池収納部内に挿入された前記電池パックの前記電池電極を前記電池収納部内の前記接続電極に向けて前記電池パックをスライドさせることにより、前記電池パックを前記電池収納部内に係脱可能に係止する係止部材と、
前記電池蓋に設けられ、前記電池パックが収納された前記電池収納部を前記電池蓋が塞ぐ際に、前記電池収納部の前記接続電極と反対側に位置する箇所の内面とこれに対向する前記電池パックの側面との間に挿入されることで前記電池パックを前記接続電極に向けて押し付けるガイド押え部と
を備える電子機器。
【請求項２】
前記係止部材は、前記電池パックのスライド方向に沿う前記電池収納部の内面に設けられて前記接続電極と反対側に向けて突出する係止突起部と、前記電池パックのスライド方向に沿う側面に設けられて前記電池パックを前記電池収納部内に挿入して前記接続電極に向けてスライドさせた際に前記係止突起部が係合する係合溝とを備えていることを特徴とする請求項１に記載の電子機器。
【請求項３】
前記ガイド押え部は、前記電池蓋が前記電池収納部を塞ぐ際に、前記電池収納部の前記接続電極と反対側に位置する箇所の内面とこれに対向する前記電池パックの側面との間に徐々に挿入されることで前記電池パックを前記接続電極に向けて徐々に押圧する挿入押圧面部を有していることを特徴とする請求項１または２に記載の電子機器。
【請求項４】
前記挿入押圧面部は、前記電池蓋が前記電池収納部を塞ぐ際に、前記電池収納部の前記接続電極と反対側に位置する箇所の内面とこれに対向する前記電池パックの側面との間に徐々に挿入する挿入ガイド面部と、前記電池蓋が前記電池収納部を塞ぐ際に、前記電池パックを前記接続電極に向けて徐々に押す押圧面部とを組み合わせた屈曲面形状に形成されていることを特徴とする請求項３に記載の電子機器。
【請求項５】
前記ガイド押え部における前記電池パックに接触する面と反対側に位置する面には、補強リブが設けられていることを特徴とする請求項１〜４のいずれかに記載の電子機器。
【請求項６】
前記電池収納部内に挿入された前記電池パックをスライドさせて前記接続電極に接触させた際に、前記電池収納部内に出没可能に突出して前記電池パックのスライド方向の位置を規制する位置規制部材を備えていることを特徴とする請求項１〜５のいずれかに記載の電子機器。
【発明の詳細な説明】
【技術分野】
【０００１】
この発明は、携帯情報端末機、携帯電話機、およびノート型のパーソナルコンピュータなどの電子機器に関する。
【背景技術】
【０００２】
例えば、携帯型の小型電子機器においては、特許文献１に記載されているように、機器ケースに設けられた電池収納部に電池パックを着脱可能に収納する電池収納構造を備えた構成のものが知られている。
【先行技術文献】
【特許文献】
【０００３】
【特許文献１】特開２０００−３４０９６０号公報
【０００４】
この種の電池収納構造は、電池収納部内の一側面に接続電極をばね部材のばね力によって弾力的に突出させ、電池収納部内に電池パックを収納する際に、接続電極を電池パックの側面に設けられた電極孔内に挿入させて電池パックの電池電極に弾力的に接触させることにより、電池収納部１０の接続電極と電池パックの電池電極とを電気的に接続するように構成されている。
【０００５】
この場合、電池収納部内の接続電極は、先端が尖った円錐形状に形成され、電池パックが電池収納部に挿入する際に、円錐形状の先端部が電池パックの側面に押されて電池収納部内から押し出される方向に移動した後、電池パックの電極孔に対応すると、この電極孔に接続電極の尖った先端部が挿入して電池パックの電池電極に弾力的に接触するように構成されている。
【発明の概要】
【発明が解決しようとする課題】
【０００６】
しかしながら、このような電池収納構造では、電池収納部内の接続電極が電池パックの電池電極に弾力的に接触して接続する構成であるから、電池収納部内の接続電極を弾力的に押し出すばね部材のばね力が強いと、電池パックを電池収納部に挿入し難くいばかり、電池パックの側面に傷を付け易く、またばね部材のばね力が弱いと、電池パックの電池電極に対する電池収納部内の接続電極の接触が不安定になり、接続信頼性に欠けるという問題がある。
【０００７】
この発明が解決しようとする課題は、電池パックを確実に且つ良好に収納できると共に、電池パックの電池電極と電池収納部の接続電極とを確実に且つ良好に接続することができるようにすることである。
【課題を解決するための手段】
【０００８】
この発明の電子機器は、機器ケースに設けられた電池収納部内に電池パックを挿入し、この電池パックの一側面に設けられた電池電極を前記電池収納部内に設けられた接続電極に接触させ、この状態で前記電池収納部を電池蓋によって開閉可能に塞ぐ電池収納構造を有する電子機器において、前記電池蓋は、前記電池パックのスライド方向に沿う前記電池収納部の縁部に対応する前記機器ケースの箇所に設けられた支持軸に回転可能に取り付けられ、前記電池収納部内に挿入された前記電池パックの前記電池電極を前記電池収納部内の前記接続電極に向けて前記電池パックをスライドさせることにより、前記電池パックを前記電池収納部内に係脱可能に係止する係止部材と、前記電池蓋に設けられ、前記電池パックが収納された前記電池収納部を前記電池蓋が塞ぐ際に、前記電池収納部の前記接続電極と反対側に位置する箇所の内面とこれに対向する前記電池パックの側面との間に挿入されることで前記電池パックを前記接続電極に向けて押し付けるガイド押え部とを備える。
【発明の効果】
【０００９】
この発明によれば、電池パックを確実に且つ良好に収納できると共に、電池パックの電池電極と電池収納部の接続電極とを確実に且つ良好に接続することができる。
【図面の簡単な説明】
【００１０】
【図１】この発明を携帯情報端末機に適用した一実施形態を示した正面図である。
【図２】図１に示された携帯情報端末機の裏面図である。
【図３】図２に示された携帯情報端末機の電池蓋を開いた状態を示した要部の拡大斜視図である。
【図４】図３に示された携帯情報端末機の電池収納部に収納される電池パックを示した拡大斜視図である。
【図５】図３に示された携帯情報端末機の電池収納部の内部を示した要部の拡大平面図である。
【図６】図２に示された携帯情報端末機のＡ−Ａ矢視における要部の拡大断面図である。
【図７】図３に示された携帯情報端末機のＢ−Ｂ矢視において、要部を破断して示した拡大斜視図である。
【図８】図２に示された携帯情報端末機のＣ−Ｃ矢視における要部の拡大断面図である。
【図９】図５に示された携帯情報端末機の電池収納部のＤ−Ｄ矢視において、要部を破断して示した拡大斜視図である。
【図１０】図３に示された携帯情報端末機の電池蓋を示し、（ａ）はその拡大裏面図、（ｂ）はその拡大側面図である。
【発明を実施するための形態】
【００１１】
以下、図１〜図１０を参照して、この発明を携帯情報端末機に適用した一実施形態について説明する。
この携帯情報端末機は、図１および図２に示すように、機器ケース１を備えている。この機器ケース１は、図１〜図３および図６に示すように、上部ケース２、下部ケース３、および中ケース４を備えている。
【００１２】
この機器ケース１は、図１および図２に示すように、全体が縦方向（図１では上下方向）に長いほぼ長方形の箱形状に形成されている。この場合、機器ケース１は、その手前側（図１では下部側）が幅の狭い握り部１ａに形成され、先端側（図１では上部側）が幅の広いプリンタ搭載部１ｂに形成された構成になっている。この機器ケース１の上部ケース２における握り部１ａには、入力表示部５とキー入力部６とが設けられている。
【００１３】
入力表示部５は、表示パネルの表面に透明なタッチパネルを配置したものであり、表示パネルに表示された情報が透明なタッチパネルを通して見え、この表示された情報を見ながらタッチパネルをタッチ操作することにより、情報が入力されるように構成されている。また、キー入力部６は、テンキー、ファンクションキーなどの各種のキーを備え、キー操作によって情報が入力されるように構成されている。
【００１４】
また、この機器ケース１の上部ケース２におけるプリンタ搭載部１ｂには、図１に示すように、プリンタ部７およびプリンタカバー８が設けられている。プリンタカバー８は、記録紙収納部（図示せず）を開閉自在に覆うものであり、記録紙収納部の上辺部に位置する縁に回転可能に取り付けられている。記録紙収納部は、ロール状の記録紙が回転可能な状態で収納されるように構成されている。
【００１５】
プリンタ部７は、図１に示すように、記録紙排出口７ａ内における握り部１ａ側に設けられた印字ヘッド（図示せず）と、記録紙排出口７ａ内における印字ヘッドと反対側に位置する箇所に設けられたプラテンローラ（図示せず）とを備えている。このプリンタ部７は、図示しないが、印字ヘッドとプラテンローラとの間に送り込まれた記録紙に印字ヘッドによって情報を印字するように構成されている。
【００１６】
さらに、この機器ケース１の手前側部（図１では下端部側）には、図１および図２に示すように、カードリーダ部９が設けられている。このカードリーダ部９は、磁気カードなどのメモリカードに記憶されている情報を読み取るカード挿入口９ａを備え、このカード挿入口９ａにメモリカードを挿入させてスライドさせることにより、メモリカードに記憶されている情報を読み取るように構成されている。
【００１７】
一方、機器ケース１の下部ケース３における握り部１ａには、図３および図４に示すように、電池パック１１を着脱可能に収納する電池収納部１０が下部ケース３の下側（図３では上側）に開放された状態で設けられている。電池パック１１は、充電池であり、プリンタ部７が記録紙に情報を印字する際に、プリンタ部７に十分な電流つまり大電流を供給するように構成されている。すなわち、この電池パック１１は、図４に示すように、長方形のほぼ箱形状に形成されている。この電池パック１１の一方の側面（図４では右側の側面）には、電池電極１２が露出して設けられている。
【００１８】
電池収納部１０は、図５および図６に示すように、下部ケース３内に設けられた中ケース４に設けられている。この場合、下部ケース３には、電池パック１１が挿入する電池開口部３ａが設けられている。この下部ケース３の周縁部と上部ケース２の周縁部との間には、図６に示すように、防水パッキン１３ａが設けられている。中ケース４は、情報処理に必要な各種の電子部品が搭載された回路基板（図示せず）を取り付けるためのものであり、下部ケース３の電池開口部３ａに対応する箇所に電池収納部１０が凹部状に形成されている。
【００１９】
この電池収納部１０の内面には、図５および図６に示すように、接続電極１４が設けられている。この接続電極１４は、電池パック１１の電池電極１２が接触して接続される板ばねであり、金属板の一部をＵ字状に折り曲げた構成になっている。すなわち、この接続電極１４は、中ケース４の側面に設けられた小部屋４ａに収納され、この状態で小部屋４ａの外側に両面テープ（図示せず）によって貼り付けられた接続基板４ｂに取り付けられている。また、この接続電極１４は、そのＵ字状に折り曲げた部分が電池収納部１０内に向けて弾力的に突出するように構成されている。
【００２０】
これにより、電池収納部１０は、図７に示すように、その接続電極１４に電池パック１１の電池電極１２を対応させた状態で、電池収納部１０の内部に電池パック１１が挿入するように構成されている。この電池収納部１０は、図７に示すように、挿入された電池パック１１を接続電極１４に向けてスライドさせることにより、電池パック１１の電池電極１２が電池収納部１０内に突出した接続電極１４に弾力的に接触して電池パック１１が電気的に接続されるように構成されている。
【００２１】
また、この電池収納部１０は、図３に示すように、電池蓋１５によって開閉可能に塞がれるように構成されている。この電池蓋１５は、電池パック１１のスライド方向に沿う下部ケース３の電池開口部３ａの縁部に設けられた支持軸１６に回転可能に取り付けられている。この電池蓋１５は、図６に示すように、電池収納部１０を塞いだ際に、下部ケース３の外形と連続する湾曲形状の蓋本体部１５ａと、この蓋本体部１５ａの内面に設けられた枠状部１５ｂとを備えている。
【００２２】
この電池蓋１５は、図６および図７に示すように、電池収納部１０を塞いだ際に、下部ケース３の電池開口部３ａの縁部に設けられた防水パッキン１３ｂに枠状部１５ｂが圧接するように構成されている。この場合、下部ケース３の電池開口部３ａの縁部には、防水パッキン１３ｂを収納するパッキン溝３ｂが、電池開口部３ａの全周に亘って連続して設けられている。
【００２３】
ところで、この電池収納構造は、図３〜図７に示すように、電池収納部１０内に挿入された電池パック１１を電池収納部１０内に係脱可能に係止する係止部材１７と、電池収納部１０の接続電極１４と反対側に位置する内面とこれに対向する電池パック１１の側面との間に挿入して電池パック１１を接続電極１４に向けて押し付けるガイド押え部１８とを備えている。
【００２４】
係止部材１７は、図３〜図７に示すように、電池収納部１０内に挿入された電池パック１１の電池電極１２を電池収納部１０内の接続電極１４に向けた状態で、電池パック１１をスライドさせることにより、電池パック１１を電池収納部１０内に係脱可能に係止するように構成されている。
【００２５】
すなわち、この係止部材１７は、図７に示すように、電池パック１１のスライド方向に沿う電池収納部１０の内面に設けられて接続電極１４と反対側に向けて突出する係止突起部２０と、電池パック１１のスライド方向に沿う両側の各側面にそれぞれ設けられ、且つ電池パック１１を電池収納部１０内に挿入して接続電極１４に向けてスライドさせた際に、係止突起部２０が係合する係合溝２１とを備えている。
【００２６】
係止突起部２０は、図５および図７に示すように、電池パック１１のスライド方向に沿う電池収納部１０の内面に設けられた逆Ｌ字形状のフック部であり、上下方向に沿って設けられた支持片２０ａと、この支持片２０ａの端部に設けられて接続電極１４と反対側に向けて突出する突起片２０ｂとを備えている。
【００２７】
係合溝２１は、図４および図７に示すように、電池パック１１のスライド方向に沿う両側の各側面にそれぞれ設けられて係止突起部２０が係合する溝であり、電池パック１１を電池収納部１０内に挿入した際に係止突起部２０が挿入する挿入溝部２１ａと、電池パック１１を電池収納部１０内において接続電極１４に向けてスライドさせた際に係止突起部２０の突起片２０ｂが挿入して係合する係合溝部２１ｂとを備えている。
【００２８】
この係合溝２１は、図４および図７に示すように、挿入溝部２１ａと係合溝部２１ｂとが連続した状態で電池パック１１の各側面の複数個所にそれぞれ設けられている。この場合、係合溝２１の挿入溝部２１ａは、図７に示すように、電池パック１１のスライド方向における長さが、係止突起部２０の突起片２０ｂの長さよりも十分に長く、例えば２倍程度の長さに形成されている。
【００２９】
また、係合溝部２１ｂは、図７に示すように、電池パック１１のスライド方向における長さが、係止突起部２０の突起片２０ｂの長さよりも少し長く形成されている。このため、係止突起部２０は、電池収納部１０内に挿入された電池パック１１がスライドした際に、突起片２０ｂが係合溝２１の係合溝部２１ｂに挿入して係止されるように構成されている。
【００３０】
これにより、電池パック１１は、図７に示すように、電池収納部１０内に収納されて係止突起部２０の突起片２０ｂが係合溝２１の係合溝部２１ｂに係止された際に、電池収納部１０内における電池パック１１の挿脱方向（図７では上下方向）の位置が規制され、電池収納部１０内から抜け出さないように構成されている。
【００３１】
一方、ガイド押え部１８は、図３、図６および図８に示すように、電池収納部１０内の接続電極１４と反対側に位置する電池蓋１５の端部に、電池収納部１０内に向けて突出した状態で設けられている。このガイド押え部１８は、電池蓋１５が電池収納部１０を塞ぐ際に、電池収納部１０の接続電極１４と反対側に位置する内面１０ａとこれに対向する電池パック１１の側面１１ａとの間に徐々に挿入しながら電池パック１１を接続電極１４に向けて徐々に押圧する挿入押圧面部２２を有している。
【００３２】
この挿入押圧面部２２は、図１０（ａ）および図１０（ｂ）に示すように、電池蓋１５が電池収納部１０を塞ぐ際に、電池収納部１０の接続電極１４と反対側に位置する内面１０ａとこれに対向する電池パック１１の側面１１ａとの間に徐々に挿入する挿入ガイド面部２２ａと、電池蓋１５が電池収納部１０を塞ぐ際に、電池パック１１を接続電極１４に向けて徐々に押す押圧面部２２ｂとを組み合わせた屈曲面形状に形成されている。
【００３３】
この場合、挿入押圧面部２２の挿入ガイド面部２２ａは、図１０（ｂ）に示すように、その先端部が鍵盤蓋１５の支持軸１６を中心として回転移動しながら、徐々に下がるように屈曲する傾斜状の屈曲面に形成されている。これにより、挿入ガイド面部２２ａは、電池蓋１５が支持軸１６を中心に回転して電池収納部１０を塞ぐ際に、挿入ガイド面部２２ａの先端部が回転移動しながら電池収納部１０内に徐々に挿入するように構成されている。
【００３４】
また、挿入押圧面部２２の押圧面部２２ｂは、図１０（ａ）に示すように、電池蓋１５がその支持軸１６を中心に回転して電池収納部１０を塞ぐ際に、その先端部が電池収納部１０の接続電極１４と反対側に位置する内面１０ａから、これに対向する電池パック１１の側面１１ａに向けて徐々に傾斜するように形成されている。
【００３５】
これにより、挿入押圧面部２２は、図１０（ａ）および図１０（ｂ）に示すように、挿入ガイド面部２２ａと押圧面部２２ｂとを組み合わせた屈曲面形状に形成され、電池パック１１が収納された電池収納部１０を電池蓋１５が支持軸１６を中心に回転して塞ぐ際に、電池収納部１０の接続電極１４と反対側に位置する内面１０ａとこれに対向する電池パック１１の側面１１ａとの間に徐々に挿入して電池パック１１を接続電極１４に向けて押し付けるように構成されている。
【００３６】
また、このガイド押え部１８は、図１０（ａ）および図１０（ｂ）に示すように、電池蓋１５の端部に電池パック１１のスライド方向と直交する方向に沿って板状に形成されている。このため、このガイド押え部１８における電池パック１１に接触する内面と反対側に位置する外面には、補強リブ２３が設けられている。この補強リブ２３は、ガイド押え部１８の外面に格子形状に形成されている。
【００３７】
これにより、補強リブ２３は、図１０（ａ）および図１０（ｂ）に示すように、板状に形成されたガイド押え部１８の強度を補強するように構成されている。この場合、補強リブ２３４は、その各先端部側（図１０（ｂ）では下端部側）の各厚みが徐々に薄くなるように形成されている。また、この補強リブ２３のうち、押圧面部２２ｂに位置する箇所の補強リブ２３は、その厚みが押圧面部２２ｂの傾斜に応じて薄くなるように形成されている。
【００３８】
一方、電池収納部１０内には、図３、図８および図９に示すように、その内部に挿入された電池パック１１をスライドさせて電池パック１１の電池電極１２を接続電極１４に接触させた際に、電池収納部１０の内部に出没可能に突出して電池パック１１のスライド方向の位置を規制する位置規制部材２４が設けられている。
【００３９】
すなわち、この位置規制部材２４は、図８および図９に示すように、接続電極１４と反対側に位置する箇所の電池収納部１０の底部の下側に配置された位置規制釦２５と、この位置規制釦２５を電池収納部１０内に向けて出没可能に付勢する板ばね２６とを備えている。この場合、位置規制釦２５は、電池収納部１０の下側に上下方向に動作可能に配置された釦本体２５ａと、この釦本体２５ａに設けられて電池収納部１０の底部の挿入孔１０ｂ内に出没可能に挿入するロック部２５ｂとを備えている。
【００４０】
板ばね２６は、図８および図９に示すように、その一端部２６ａが位置規制釦２５の釦本体２５ａの下面に弾接し、他端部２６ｂが中ケース４の下面に固定され、この状態で釦本体２５ａを弾力的に押し上げてロック部２５ｂを電池収納部１０内に押し出すように構成されている。これにより、位置規制部材２４は、電池収納部１０内に電池パック１１が挿入されると、電池パック１１によって位置規制釦２５のロック部２５ｂが板ばね２６のばね力に抗して電池収納部１０内から下側に向けて押し込まれるように構成されている。
【００４１】
また、この位置規制部材２４は、図８および図９に示すように、電池収納部１０内に挿入された電池パック１１によって位置規制釦２５のロック部２５ｂが押された状態で、電池パック１１を接続電極１４に向けてスライドさせた際に、位置規制釦２５の釦本体２５ａが板ばね２６のばね力によって押し上げられて、ロック部２５ｂが電池収納部１０内に押し出されることにより、この押し出されたロック部２５ｂに電池パック１１の側面１１ａ、つまり電池電極１２と反対側に位置する電池パック１１の側面１１ａが当接し、電池パック１１のスライド方向の位置を規制するように構成されている。
【００４２】
なお、下部ケース３には、図２に示すように、電池蓋１５を係脱可能にロックする一対の蓋ロック部材２７が設けられている。この一対の蓋ロック部材２７は、電池蓋１５の支持軸１６と反対側に位置する下部ケース３の電池開口部３ａにおける縁部の両側にそれぞれ回転可能に設けられたロック部２７ａと、このロック部２７ａに設けられてロック部２７ａを回転操作する操作レバー２７ｂとを備えている。
【００４３】
この場合、ロック部２７ａは、そのほぼ半分が電池蓋１５の支持軸１６と反対側に位置する縁部に設けられた半円形状のロック溝２８内に回転可能に配置され、このロック溝２８内に設けられた係止鍔部２８ａを係脱可能に係止するように構成されている。また、このロック部２７ａは、操作レバー２７ｂの操作によって回転し、ロック溝２８内から離脱した際に、ロック溝２８内の係止鍔部２８ａに対するロックを解除するように構成されている。
【００４４】
これにより、この一対の蓋ロック部材２７は、図２に示すように、電池蓋１５が電池収納部１０を塞いで閉じた状態のときに、電池蓋１５のロック溝２８にロック部２７ａが対応し、この状態で操作レバー２７ｂを操作してロック部２７ａを回転させると、このロック部２７ａの一部がロック溝２８内に配置されてロック溝２８内の係止鍔部２８ａを下部ケース３に向けて押し付けることにより、電池蓋１５をロックするように構成されている。
【００４５】
次に、この携帯情報端末機における電池収納構造の作用について説明する。
電池パック１１を電池収納部１０に装着する場合には、まず、電池蓋１５を回転させて電池収納部１０を開く。このときには、一対の蓋ロック部材２７の操作レバー２７ｂを操作してロック部２７ａをロック溝２８内の係止鍔部２８ａから離脱させ、一対の蓋ロック部材２７による電池蓋１５のロックを解除する。これにより、電池蓋１５の支持軸１６を中心に電池蓋１５を回転させると、電池収納部１０が開く。
【００４６】
この状態で、電池パック１１を電池収納部１０内に挿入する。このときには、電池パック１１の電池電極１２を電池収納部１０の接続電極１４に対応させ、この状態で下部ケース３の電池開口部３ａから電池パック１１を電池収納部１０内に挿入する。すると、電池パック１１のスライド方向に沿う各側面に設けられた係合溝２１の挿入溝部２１ａ内に、電池収納部１０の内面に設けられた係止突起部２０が相対的に移動して挿入すると共に、電池パック１１によって電池収納部１０の底部から突出した位置規制部材２４の位置規制釦２５のロック部２５ｂが板ばね２６のばね力に抗して押し下げられる。
【００４７】
そして、電池パック１１をスライドさせて電池パック１１の電池電極１２を電池収納部１０内の接続電極１４に押し付ける。このときには、電池パック１１のスライドに伴って、電池収納部１０の係止突起部２０の突起片２０ｂが電池パック１１の係合溝２１の挿入溝部２１ａ内から係合溝２１の係合溝部２０ｂ内に相対的に移動して挿入する。これにより、電池パック１１は電池収納部１０に対する挿脱方向への移動、つまり電池収納部１０内における上下方向の位置が規制される。
【００４８】
また、このときには、電池パック１１のスライドによって位置規制部材２４の位置規制釦２５のロック部２５ｂから電池パック１１の側面１１ａが離れるので、位置規制釦２５が板ばね２６のばね力によって押し上げられて、ロック部２５ｂが電池収納部１０内に突出する。この突出した位置規制釦２５のロック部２５ｂが電池パック１１の側面１１ａに当接することにより、電池パック１１が電池収納部１０１内におけるスライド方向の移動が規制される。
【００４９】
これにより、電池パック１１は、電池収納部１０に対する挿脱方向（上下方向）およびスライド方向（左右方向）の動きが規制されて電池収納部１０内に仮固定される。この状態で、電池蓋１５を閉じて電池収納部１０を塞ぐ。このとき、電池蓋１５が支持軸１６を中心に回転すると、電池蓋１５に設けられたガイド押え部１８が電池収納部１０の接続電極１４と反対側に位置する内面１０ａとこれに対向する電池パック１１の側面１１ａとの間に挿入して電池パック１１を接続電極１４に向けて押し付ける。
【００５０】
すなわち、電池蓋１５が回転して電池収納部１０を塞ぐ際には、ガイド押え部１８の挿入押圧面部２２の挿入ガイド面部２２ａが電池収納部１０の内面１０ａとこれに対向する電池パック１１の側面１１ａとの間に徐々に挿入しながら、挿入押圧面部２２の押圧面部２２ｂが電池パック１１を電池収納部１０の接続電極１４に向けて徐々に押圧する。これにより、電池蓋１５が電池収納部１０を塞いで閉じた際には、電池パック１１の電池電極１２が電池収納部１０の接続電極１４に押し付けられて電気的に接続される。
【００５１】
そして、電池収納部１０を塞いで閉じた電池蓋１５を蓋ロック部材２７によってロックする。このときには、電池蓋１５のロック溝２８内にロック部２７ａが対応して配置される。この状態で、操作レバー２７ｂを操作してロック部２７ａを回転させると、このロック部２７ａの一部がロック溝２８内に配置されてロック溝２８内の係止鍔部２８ａを下部ケース３に向けて押し付ける。これにより、電池蓋１５が下部ケース３に対してロックされる。
【００５２】
一方、電池収納部１０内から電池パック１１を取り出す際には、蓋ロック部材２７による電池蓋１５のロックを解除して電池蓋１５を回転させて開く。このときには、電池蓋１５のガイド押え部１８が電池収納部１０の内面１０ａとこれに対向する電池パック１１の側面１１ａとの間から抜き出されて、電池収納部１０の接続電極１４に対する電池パック１１の押し付けが解除される。
【００５３】
この状態では、電池収納部１０の底部に位置する位置規制部材２４の位置規制釦２５のロック部２５ｂが板ばね２６のばね力によって電池収納部１０内に押し出されていることにより、電池パック１１が電池収納部１０内におけるスライド方向の動きが規制されて電池収納部１０内に仮固定されている。このため、電池蓋１５が不用意に開いても、電池パック１１が電池収納部１０内から勝手に脱落することがない。
【００５４】
そして、板ばね２６のばね力に抗して位置規制釦２５のロック部２５ｂを押し下げると、位置規制釦２５のロック部２５ｂによる電池パック１１に対するスライド方向の位置規制が解除される。この状態で、電池パック１１を接続電極１４から離れる方向にスライドさせると、電池収納部１０の内面に設けられた係止突起部２０の突起片２０ｂが、電池パック１１の側面に設けられた係合溝２１の係合溝部２１ｂ内を相対的に移動して係合溝２１の挿入溝部２１ａ内に位置する。これにより、係止部材１７による電池パック１１の係止が解除され、電池パック１１を電池収納部１０内から取り出すことができる。
【００５５】
このように、この携帯情報端末機における電池収納構造によれば、電池収納部１０内に挿入された電池パック１１の電池電極１２を電池収納部１０内の接続電極１４に向けて電池パック１１をスライドさせることにより、電池パック１１を電池収納部１０内に係脱可能に係止する係止部材１７と、電池蓋１５に設けられ、電池パック１１が収納された電池収納部１０を電池蓋１５が塞ぐ際に、電池収納部１０の接続電極１４と反対側に位置する内面１０ａとこれに対向する電池パック１１の側面１１ａとの間に挿入して電池パック１１を接続電極１４に向けて押し付けるガイド押え部１８とを備えているので、電池パック１１を確実に且つ良好に収納できると共に、電池パック１１の電池電極１２と電池収納部１０の接続電極１４とを確実に且つ良好に接続することができる。
【００５６】
すなわち、この電池収納構造では、電池収納部１０内に電池パック１１を挿入し、この挿入された電池パック１１の電池電極１２を電池収納部１０内の接続電極１４に向けた状態で、電池パック１１をスライドさせると、係止部材１７によって電池パック１１を電池収納部１０内に係止させることができるので、電池パック１１に傷を付けることなく、電池収納部１０に対する電池パック１１の脱落を防いで、電池収納部１０内に電池パック１１を確実に且つ良好に収納することができる。
【００５７】
また、この電池収納構造では、電池蓋１５を塞ぐ際に、電池蓋１５に設けられたガイド押え部１８が電池収納部１０の接続電極１４と反対側に位置する内面１０ａとこれに対向する電池パック１１の側面１１ａとの間に挿入して電池パック１１を接続電極１４に向けて押し付けることができるので、電池収納部１０の接続電極１４と電池パック１１の電池電極１２とを確実に且つ良好に接続することができる。このため、落下による衝撃や振動を受けても、電池収納部１０の接続電極１４と電池パック１１の電池電極１２との接続が断たれることがないので、接続信頼性を確保することができる共に、プリンタ部７の印字時に確実に十分な電流を供給することができる。
【００５８】
この場合、係止部材１７は、電池パック１１のスライド方向に沿う電池収納部１０の内面に設けられて接続電極１４と反対側に向けて突出する係止突起部２０と、電池パック１１のスライド方向に沿う両側の各側面に設けられ、且つ電池パック１１を電池収納部１０内に挿入して接続電極１４に向けてスライドさせた際に係止突起部２０が係合する係合溝２１とを備えていることにより、電池パック１１を電池収納部１０内に挿入させてスライドさせるだけの簡単な操作で、電池パック１１を電池収納部１０内から抜け出さないように電池収納部１０内に確実に且つ良好に位置規制することができる。
【００５９】
すなわち、係止部材１７の係止突起部２０は、電池パック１１のスライド方向に沿う電池収納部１０の内面に設けられた逆Ｌ字形状のフック部であり、上下方向に沿って設けられた支持片２０ａと、この支持片２０ａの端部に設けられて接続電極１４と反対側に向けて突出する突起片２０ｂとを備えており、係合溝２１は、係止突起部２０が挿入する挿入溝部２１ａと、係止突起部２０の突起片２０ｂが挿入する係合溝部２１ｂとを備えているので、電池パック１１を電池収納部１０内に確実に且つ良好に位置規制することができる。
【００６０】
この場合には、電池収納部１０内に電池パック１１が挿入すると、係止突起部２０が係合溝２１の挿入溝部２１ａに相対的に挿入し、この状態で電池パック１１を接続電極１４に向けてスライドさせると、突起片２０ｂが係合溝２１の係合溝部２１ｂに相対的に挿入して係止されるので、電池パック１１の挿脱方向である上下方向の位置を確実に規制することができ、これにより電池パック１１が電池収納部１０内から脱落しないように、電池パック１１を電池収納部１０内に確実に且つ良好に位置規制することができ、これによっても電池収納部１０の接続電極１４と電池パック１１の電池電極１２との接続信頼性を確保することができる。
【００６１】
また、この電池収納構造では、電池蓋１５が電池パック１１のスライド方向に沿う電池収納部１０の縁部に対応する機器ケース１の箇所に設けられた支持軸１６に回転可能に取り付けられているので、電池蓋１５を機器ケース１に対して回転させるだけの簡単な操作で、電池収納部１０を塞ぐことができると共に、電池蓋１５が機器ケース１に取り付けられていることにより、電池蓋１５を紛失することがないので、使い勝手が良い。
【００６２】
また、この電池収納構造のガイド押え部１８は、電池蓋１５が電池収納部１０を塞ぐ際に、電池収納部１０の接続電極１４と反対側に位置する内面１０ａとこれに対向する電池パック１１の側面１１ａとの間に徐々に挿入しながら電池パック１１を接続電極１４に向けて徐々に押圧する挿入押圧面部２２を有しているので、電池蓋１５が電池収納部１０を塞ぐ際に、挿入押圧面部２２によってガイド押え部１８を電池収納部１０の内面１０ａとこれに対向する電池パック１１の側面１１ａとの間に確実に挿入させることができると共に、挿入押圧面部２２によって電池パック１１を確実に且つ良好に接続電極１４に向けて押し付けることができる。
【００６３】
この場合、挿入押圧面部２２は、電池蓋１５が電池収納部１０を塞ぐ際に、電池収納部１０の接続電極１４と反対側に位置する内面１０ａとこれに対向する電池パック１１の側面１１ａとの間に徐々に挿入する挿入ガイド面部２２ａと、電池蓋１５が電池収納部１０を塞ぐ際に、電池パック１１を接続電極１４に向けて徐々に押す押圧面部２２ｂとを組み合わせた屈曲面形状に形成されていることにより、挿入ガイド面部２２ａによってガイド押え部１８を電池収納部１０の内面１０ａとこれに対向する電池パック１１の側面１１ａとの間に確実に挿入させることができると共に、押圧面部２２ｂによってガイド押え部１８を電池パック１１に押し付けて、電池パック１１を確実に且つ良好に接続電極１４に向けて押し付けることができる。
【００６４】
また、この電池収納構造では、ガイド押え部１８における電池パック１１に接触する内面１０ａと反対側に位置する外面に補強リブ２３が設けられていることにより、ガイド押え部１８を電池収納部１０の内面１０ａとこれに対向する電池パック１１の側面１１ａとの間に挿入し易くするために、ガイド押え部１８の厚みを薄く形成しても、補強リブ２３によってガイド押え部１８の強度を確保することができ、これによりガイド押え部１８によって電池パック１１を確実に且つ良好に接続電極１４に向けて押し付けることができる。
【００６５】
この場合、補強リブ２３は、その各先端部側の厚みが徐々に薄くなるように形成されていると共に、補強リブ２３のうち、押圧面部２２ｂに位置する箇所の補強リブ２３は、その厚みが押圧面部２２ｂの傾斜に応じて薄くなるように形成されていることにより、ガイド押え部１８に補強リブ２３を設けても、ガイド押え部１８を電池収納部１０の内面１０ａとこれに対向する電池パック１１の側面１１ａとの間に確実に且つ良好に挿入させて電池パック１１を確実に且つ良好に接続電極１４に向けて押し付けることができる。
【００６６】
さらに、この電池収納構造では、電池収納部１０内に挿入された電池パック１１をスライドさせて接続電極１４に接触させた際に、電池収納部１０内に出没可能に突出して電池パック１１のスライド方向の位置を規制する位置規制部材２４を備えているので、電池パック１１を電池収納部１０内に挿入して接続電極１４に接触させた状態のときに、位置規制部材２４によって電池パック１１を電池収納部１０内に仮固定することができ、これにより電池蓋１５を開いた状態でも、電池パック１１が電池収納部１０内から脱落するのを防ぐことができる。
【００６７】
すなわち、この位置規制部材２４は、接続電極１４と反対側に位置する箇所の電池収納部１０の底部の下側に配置された位置規制釦２５と、この位置規制釦２５を電池収納部１０内に出没可能に付勢する板ばね２６とを備えているので、電池収納部１０内に挿入された電池パック１１によって位置規制釦２５のロック部２５ｂが押された際に、ロック部２５ｂを電池収納部１０内から外部に没入させることができ、これにより電池パック１１を接続電極１４に向けてスライドさせることができる。
【００６８】
また、この位置規制部材２４では、ロック部２５ｂを電池収納部１０内から外部に没入させた状態で、電池パック１１を接続電極１４に向けてスライドさせた際に、位置規制釦２５の釦本体２５ａが板ばね２６のばね力によって押されて、ロック部２５ｂを電池収納部１０内に押し出すことができ、この押し出されたロック部２５ｂによって電池パック１１の側面１１ａ、つまり電池電極１２と反対側に位置する電池パック１１の側面１１ａを位置規制することができるので、電池パック１１のスライド方向の位置を確実に且つ良好に規制することができる。
【００６９】
このため、電池蓋１５が不用意に開いても、電池パック１１が電池収納部１０内から勝手に脱落するのを確実に防ぐことができる。また、この位置規制部材２４は、電池収納部１０内から電池パック１１を取り出す際に、板ばね２６のばね力に抗してロック部２５ｂを押し下げて電池パック１１に対する位置規制を解除すると、電池パック１１を接続電極１４から離れる方向にスライドさせることができる。このときには、板ばね２６のばね力によってロック部２５ｂが押し上げられて電池パック１１を押し上げることができるので、電池パック１１を電池収納部１０内から容易に取り出すことができる。
【００７０】
このように、この携帯情報端末機によれば、電池収納部１０内に電池パック１１を挿入し、この挿入された電池パック１１の電池電極１２を電池収納部１０内の接続電極１４に向けた状態で電池パック１１をスライドさせると、係止部材１７によって電池パック１１を電池収納部内１０に係止させることができるので、電池収納部１０内に電池パック１１を確実に且つ良好に収納することができる。
【００７１】
また、この携帯情報端末機によれば、電池蓋１５を塞ぐ際に、ガイド押え部１８が電池収納部１０の接続電極１４と反対側に位置する内面とこれに対向する電池パック１１の側面１１ａとの間に挿入して電池パック１１を接続電極１４に向けて押し付けることができるので、電池収納部１０の接続電極１４と電池パック１１の電池電極１２とを確実に且つ良好に接続することができる。これにより、使い勝手の良い携帯情報端末機を提供することができる。
【００７２】
なお、上述した実施形態では、携帯情報端末機に適用した場合について述べたが、必ずしも携帯情報端末機に適用する必要はなく、例えば携帯電話機やノート型のパーソナルコンピュータなどの電子機器にも適用することができる。
【００７３】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７４】
（付記）
請求項１に記載の発明は、機器ケースに設けられた電池収納部内に電池パックを挿入し、この挿入された電池パックの一側面に設けられた電池電極を前記電池収納部内に設けられた接続電極に接触させ、この状態で前記電池収納部を電池蓋によって開閉可能に塞ぐ電池収納構造において、前記電池収納部内に挿入された前記電池パックの前記電池電極を前記電池収納部内の前記接続電極に向けて前記電池パックをスライドさせることにより、前記電池パックを前記電池収納部内に係脱可能に係止する係止部材と、前記電池蓋に設けられ、前記電池パックが収納された前記電池収納部を前記電池蓋が塞ぐ際に、前記電池収納部の前記接続電極と反対側に位置する内面とこれに対向する前記電池パックの側面との間に挿入して前記電池パックを前記接続電極に向けて押し付けるガイド押え部とを備えていることを特徴とする電池収納構造である。
【００７５】
請求項２に記載の発明は、請求項１に記載の電池収納構造において、前記係止部材は、前記電池パックのスライド方向に沿う前記電池収納部の内面に設けられて前記接続電極と反対側に向けて突出する係止突起部と、前記電池パックのスライド方向に沿う側面に設けられて前記電池パックを前記電池収納部内に挿入して前記接続電極に向けてスライドさせた際に前記係止突起部が係合する係合溝とを備えていることを特徴とする電池収納構造である。
【００７６】
請求項３に記載の発明は、請求項１または請求項２に記載の電池収納構造において、前記電池蓋は、前記電池パックのスライド方向に沿う前記電池収納部の縁部に対応する前記機器ケースの箇所に設けられた支持軸に回転可能に取り付けられていることを特徴とする電池収納構造である。
【００７７】
請求項４に記載の発明は、請求項１〜請求項３のいずれかに記載の電池収納構造において、前記ガイド押え部は、前記電池蓋が前記電池収納部を塞ぐ際に、前記電池収納部の前記接続電極と反対側に位置する内面とこれに対向する前記電池パックの側面との間に徐々に挿入しながら前記電池パックを前記接続電極に向けて徐々に押圧する挿入押圧面部を有していることを特徴とする電池収納構造である。
【００７８】
請求項５に記載の発明は、請求項４に記載の電池収納構造において、前記挿入押圧面部は、前記電池蓋が前記電池収納部を塞ぐ際に、前記電池収納部の前記接続電極と反対側に位置する内面とこれに対向する前記電池パックの側面との間に徐々に挿入する挿入ガイド面部と、前記電池蓋が前記電池収納部を塞ぐ際に、前記電池パックを前記接続電極に向けて徐々に押す押圧面部とを組み合わせた屈曲面形状に形成されていることを特徴とする電池収納構造である。
【００７９】
請求項６に記載の発明は、請求項１〜請求項５のいずれかに記載の電池収納構造において、前記ガイド押え部における前記電池パックに接触する面と反対側に位置する面には、補強リブが設けられていることを特徴とする電池収納構造である。
【００８０】
請求項７に記載の発明は、請求項１〜請求項６のいずれかに記載の電池収納構造において、前記電池収納部内に挿入された前記電池パックをスライドさせて前記接続電極に接触させた際に、前記電池収納部内に出没可能に突出して前記電池パックのスライド方向の位置を規制する位置規制部材を備えていることを特徴とする電池収納構造である。
【００８１】
請求項８に記載の発明は、請求項１に記載された電池収納構造を備えていることを特徴とする電子機器である。
【符号の説明】
【００８２】
１  機器ケース
２  上部ケース
３  下部ケース
４  中ケース
１０  電池収納部
１１  電池パック
１２  電池電極
１４  接続電極
１５  電池蓋
１６  支持軸
１７  係止部材
１８  ガイド押え部
２０  係止突起部
２０ａ  ストッパ片
２０ｂ  突起片
２１  係合溝
２１ａ  挿入溝部
２１ｂ  係合溝部
２２  挿入押圧面部
２２ａ  挿入ガイド面部
２２ｂ  押圧面部
２３  補強リブ
２４  位置規制部材
２５  位置規制釦
２６  板ばね
【図１】
2014220258.tif 000003
【図２】
2014220258.tif 000004
【図３】
2014220258.tif 000005
【図４】
2014220258.tif 000006
【図５】
2014220258.tif 000007
【図６】
2014220258.tif 000008
【図７】
2014220258.tif 000009
【図８】
2014220258.tif 000010
【図９】
2014220258.tif 000011
【図１０】
2014220258.tif 000012